(57)【要約】【課題】床下空間の不快な臭いを室内空間に送り込むことなく、床下空間の冷熱を利用して室内空間の温度を低下させる。【解決手段】室内冷却装置（１０）は、建物の床下空間（８０）の冷熱を利用して室内空間（９２）の空気の温度を低下させるための室内冷却装置であって、室内空間（９２）の空気を取り込み、取り込んだ空気を室内空間（９２）に戻す室内循環経路（２０）と、建物の床下空間（８０）の空気を取り込み、取り込んだ空気を床下空間（８０）に戻す床下循環経路（３０）と、室内循環経路（２０）を循環する室内空間の空気と床下循環経路（３０）を循環する床下空間の空気とを熱交換させる熱交換部（４０）とを備える。【選択図】図２
2018053614.tif 000002
【特許請求の範囲】
【請求項１】
建物の床下空間の冷熱を利用して室内空間の空気の温度を低下させるための室内冷却装置であって、
前記室内空間の空気を取り込み、取り込んだ空気を前記室内空間に戻す室内循環経路と、
前記建物の床下空間の空気を取り込み、取り込んだ空気を前記床下空間に戻す床下循環経路と、
前記室内循環経路を循環する前記室内空間の空気と前記床下循環経路を循環する前記床下空間の空気とを熱交換させる熱交換部とを備えた、室内冷却装置。
【請求項２】
前記室内循環経路上に空気を流動させるためのファンを備え、
前記ファンの風量は、空調対象の前記室内空間の容積に係数ｋを乗算した値以下であり、
前記係数ｋは２．７０である、請求項１に記載の室内冷却装置。
【請求項３】
前記床下空間の温度と前記室内空間の温度との差に応じて、前記ファンの風量を制御するための風量制御部をさらに備える、請求項２に記載の室内冷却装置。
【請求項４】
前記床下循環経路は、前記熱交換部よりも下流側に位置し、熱交換後の床下空間の空気を前記床下空間に戻す下流経路と、前記下流経路から分岐し、前記熱交換後の床下空間の空気を屋外に排気する排気経路と、熱交換後の床下空間の空気の吐出先を切り替える切替部とを含み、
所定の条件を満たした場合に前記吐出先が屋外となるように前記切替部の切り替え制御を行う切替制御部をさらに備える、請求項１〜３のいずれかに記載の室内冷却装置。
【請求項５】
前記床下循環経路は、前記熱交換部よりも上流側に位置し、前記床下空間の空気を吸気する吸気口に一端が接続された上流経路と、屋外の空気を吸気する屋外吸気口に一端が接続され、かつ、他端が前記上流経路に接続された外気吸込み経路と、前記熱交換部に送り込む空気の吸気先を切り替える切替部とを含み、
所定の条件を満たした場合に前記吸気先が屋外となるように前記切替部の切り替え制御を行う切替制御部をさらに備える、請求項１〜３のいずれかに記載の室内冷却装置。
【請求項６】
前記切替制御部は、時間帯に応じて前記切替部の切り替え制御を行う、請求項４または５に記載の室内冷却装置。
【請求項７】
前記切替制御部は、前記床下空間の温度と屋外の温度とを比較することによって前記切替部の切り替え制御を行う、請求項４または５に記載の室内冷却装置。
【発明の詳細な説明】
【技術分野】
【０００１】
本発明は、建物の床下空間の冷熱を利用して室内空間の空気の温度を低下させるための室内冷却装置に関する。
【背景技術】
【０００２】
夏期における床下空間の空気の温度は室内空間の空気の温度よりも低いため、床下空間の空気を室内空間に取り込んで室内空間を冷却する技術が知られている。
【０００３】
たとえば特開２０１５−２２４４８５号公報（特許文献１）には、床下空間に外気を導入するための基礎換気口と、床下空間の土間側に配され、かつ、土間との間に空気が通過可能な土間側空間を形成するための仕切部と、土間側空間を通過することにより土間の表面と熱交換した空気を居室空間に供給するための供給手段とを含む住宅構造が開示されている。
【先行技術文献】
【特許文献】
【０００４】
【特許文献１】特開２０１５−２２４４８５号公報
【発明の概要】
【発明が解決しようとする課題】
【０００５】
床下空間は、鉄筋コンクリートで形成された基礎により取り囲まれた空間である。特許文献１のように、床下空間の空気を直接室内空間に供給する構成の場合、床下空間の不快な臭い（たとえばコンクリート臭）まで室内空間に送り込まれてしまう。そのため、このような構成の場合、給気される空気の臭いを低減させるための措置を別途採用しなくてはならない。
【０００６】
本発明は、上記のような課題を解決するためになされたものであって、その目的は、床下空間の不快な臭いを室内空間に送り込むことなく、床下空間の冷熱を利用して室内空間の温度を低下させることのできる室内冷却装置を提供することである。
【課題を解決するための手段】
【０００７】
この発明のある局面に従う室内冷却装置は、建物の床下空間の冷熱を利用して室内空間の空気の温度を低下させるための室内冷却装置であって、室内空間の空気を取り込み、取り込んだ空気を室内空間に戻す室内循環経路と、建物の床下空間の空気を取り込み、取り込んだ空気を床下空間に戻す床下循環経路と、室内循環経路を循環する室内空間の空気と床下循環経路を循環する床下空間の空気とを熱交換させる熱交換部とを備える。
【０００８】
好ましくは、室内冷却装置は、室内循環経路上に空気を流動させるためのファンを備え、ファンの風量は、空調対象の室内空間の容積（単位：ｍ３）に係数ｋを乗算した値以下の風量（単位：ｍ３／ｈ）である。係数ｋは２．７０であることが望ましい。
【０００９】
より好ましくは、室内冷却装置は、床下空間の温度と室内空間の温度との差に応じて、ファンの風量を制御するための風量制御部をさらに備える。
【００１０】
好ましくは、床下循環経路は、熱交換部よりも下流側に位置し、熱交換後の床下空間の空気を床下空間に戻す下流経路と、下流経路から分岐し、熱交換後の床下空間の空気を屋外に排気する排気経路と、熱交換後の床下空間の空気の吐出先を切り替える切替部とを含む。この場合、室内冷却装置は、所定の条件を満たした場合に吐出先が屋外となるように切替部の切り替え制御を行う切替制御部をさらに備えることが望ましい。
【００１１】
あるいは、床下循環経路は、熱交換部よりも上流側に位置し、床下空間の空気を吸気する吸気口に一端が接続された上流経路と、屋外の空気を吸気する屋外吸気口に一端が接続され、かつ、他端が上流経路に接続された外気吸込み経路と、熱交換部に送り込む空気の吸気先を切り替える切替部とを含んでもよい。この場合においても、室内冷却装置は、所定の条件を満たした場合に吸気先が屋外となるように切替部の切り替え制御を行う切替制御部をさらに備えることが望ましい。
【００１２】
好ましくは、切替制御部は、時間帯に応じて切替部の切り替え制御を行う。
【００１３】
あるいは、切替制御部は、床下空間の温度と屋外の温度とを比較することによって切替部の切り替え制御を行う。
【発明の効果】
【００１４】
本発明によれば、床下空間の不快な臭いを室内空間に送り込むことなく、床下空間の冷熱を利用して室内空間の温度を低下させることができる。
【図面の簡単な説明】
【００１５】
【図１】本発明の実施の形態に係る熱交換システムの概略構成を模式的に示す図である。
【図２】本発明の実施の形態において、住宅の床下空間に設置された室内冷却装置を模式的に示す断面図である。
【図３】本発明の実施の形態に係る室内冷却装置の機能構成を示す機能ブロック図である。
【図４】本発明の実施の形態における風量制御方法を説明するためのグラフである。
【図５】初夏における床下空間の温度および外気温度の推移を示すグラフである。
【図６】本発明の実施の形態の変形例において床下空間に配置される配管構成を模式的に示す平面図である。
【図７】本発明の実施の形態の変形例における室内冷却装置の機能構成を示す機能ブロック図である。
【発明を実施するための形態】
【００１６】
本発明の実施の形態について図面を参照しながら詳細に説明する。なお、図中同一または相当部分には同一符号を付してその説明は繰返さない。
【００１７】
（概略構成について）
はじめに、図１および図２を参照して、本実施の形態に係る室内冷却装置１０の概略構成について説明する。
【００１８】
図１を参照して、住宅９に搭載された熱交換システム１は、室内冷却装置１０を含む。室内冷却装置１０は、夏期に住宅９の床下空間８０の冷熱を利用して、室内空間９２を冷却する。床下空間８０は、住宅９の外壁９１の下に位置する外周基礎８１により囲まれた空間である。外壁９１と外周基礎８１との間には、床下空間８０の換気のための通気口８１ａ（図２）が設けられている。
【００１９】
図２に示されるように、室内冷却装置１０は、室内空間９２の空気を取り込んで室内空間９２に戻す室内循環経路２０と、床下空間８０の空気を取り込んで床下空間８０に戻す床下循環経路３０と、室内循環経路２０上を流れる空気と床下循環経路３０上を流れる空気とを熱交換する熱交換部４０とを備える。
【００２０】
室内冷却装置１０は、典型的には床下空間８０に配置され、熱交換部４０を内蔵する。室内冷却装置１０は、室内循環経路２０を構成する第１空気通路２１と、床下循環経路３０を構成する第２空気通路３１とを筐体内部に含み、第１空気通路２１と第２空気通路３１とに跨って熱交換部４０が配置されている。熱交換部４０の構成は、公知の構成が採用され得る。室内冷却装置１０は、第１空気通路２１に設けられた第１ファン２２と、第２空気通路３１に設けられた第２ファン３２とを含んでいる。
【００２１】
室内循環経路２０は、室内空間９２に配置された吸気口２３から、室内空間９２に配置された吹出し口２４に至る、室内空間９２の空気の循環経路である。室内循環経路２０は、典型的には、吸気口２３と第１空気通路２１の一端とを接続する吸気ダクト２５と、第１空気通路２１の他端と吹出し口２４とを接続する吹出しダクト２６とを含む。吸気口２３および吹出し口２４は、たとえば室内空間９２の床に設けられる。
【００２２】
なお、吸気ダクト２５および吹出しダクト２６を、室内冷却装置１０本体に着脱可能に構成するような場合には、室内冷却装置１０の構成としての室内循環経路は、第１空気通路２１のみで構成されてもよい。また、室内冷却装置１０の第１空気通路２１の一端部および他端部が室内空間９２の床を向くように配置することで、吸気ダクト２５および吹出しダクト２６の両方を省いてもよい。この場合、室内冷却装置１０の第１空気通路２１の一端部および他端部に吸気口２３および吹出し口２４が形成される。
【００２３】
床下循環経路３０は、床下空間８０に配置された吸気口３３から床下空間８０に配置された吹出し口３４に至る、床下空間８０の空気の循環経路である。床下循環経路３０も同様に、吸気口３３と第２空気通路３１の一端とを接続する吸気ダクト３５と、第２空気通路３１の他端と吹出し口２４とを接続する吹出しダクト３６とを含んでもよい。
【００２４】
なお、本実施の形態では室内冷却装置１０が床下空間８０に配置されるため、吸気ダクト３５および吹出しダクト３６の両方を省くことができる。この場合、室内冷却装置１０の第２空気通路３１の一端部および他端部に吸気口３３および吹出し口３４が形成される。あるいは、室内循環経路２０と同様に、吸気ダクト３５および吹出しダクト３６を、室内冷却装置１０本体に着脱可能に構成してもよい。このような場合には、室内冷却装置１０の構成としての床下循環経路は、第２空気通路３１のみで構成されてもよい。
【００２５】
室内冷却装置１０（熱交換システム１）がこのように構成されるため、室内空間９２の比較的高温の空気を床下空間８０の空気との熱交換により冷却し、冷却後の空気を室内空間９２に供給することができる。これにより、夏期における室内空間９２の温度を低減させることができる。その結果、冷房負荷の削減に寄与することができる。
【００２６】
また、本実施の形態では、室内循環経路２０と床下循環経路３０とが個別に設けられており、室内空間９２の空気をそのまま（温度だけ低下させて）戻す構成であるため、不快な床下空間８０の臭いを室内空間９２に供給しなくて済む。したがって、室内空間９２において居住者は快適に過ごすことができる。
【００２７】
なお、室内循環経路２０の吸気口２３と吹出し口２４とは、共通の室内空間９２に配置される例に限定されず、吸気口２３と吹出し口２４とが異なる室内空間に配置されてもよい。吹出し口２４が配置される室内空間９２は、空調対象（冷却対象）の室内空間であり、典型的にはリビング、ダイニング、個室（寝室、子供部屋）、などの居室である。吸気口２３と吹出し口２４とが異なる室内空間に配置される場合、吸気口２３が配置される室内空間は、廊下、階段室などの非居室の室内空間９３であってもよい。
【００２８】
また、室内循環経路２０の吸気口２３および吹出し口２４の個数は、１個に限定されず、複数個であってもよい。図１に示されるように、たとえば２個の吹出し口２４が１階の室内空間９２と２階の室内空間９２とに設けられる場合、上述の吹出しダクト２６を、吹出し口２４の個数に応じて分岐させてもよい。なお、２階の室内空間９２の吹出し口２４にまで延びるダクト２６ａは、１階の間仕切壁の空気層および天井裏空間（いずれも図示せず）を通るように配設される。
【００２９】
（目標採熱量について）
本実施の形態において、１台の室内冷却装置１０による目標採熱量は３００Ｗである。これは、一般的な住宅の三室分（約２０畳）相当である。なお、室内空間９２の床面から天井面までの高さを２．４ｍとすると、２０畳分の室内空間９２の容積は、約７９．４４ｍ３（３３．１ｍ２×２．４ｍ＝７９．４４ｍ３）である。
【００３０】
過去の実測結果より、夏期における床下空間８０と室内空間９２との温度差（室内温度−床下温度）Δｔは、平均３．５〜５．０℃程度である。床下循環経路３０側の第２ファン３２の風量を一定とした場合、室内循環経路２０側の第１ファン２２の風量Ｖは、次式により求められる。なお、空気の容積比率は０．３３〜０．３５程度である。
【００３１】
風量Ｖ＝目標採熱量／（Δｔ×空気の容積比率）
【００３２】
温度差Δｔを上記平均温度（３．５〜５．０℃）として計算すると、風量Ｖは、２１０〜２４０ｍ３／ｈとなる。したがって、室内冷却装置１０が目標採熱量３００Ｗを達成するためには、第１ファン２２は２１０ｍ３／ｈ以上の能力を有するファンである必要がある。本実施の形態では、省エネルギー化を考慮し、第１ファン２２として、最大風量（とり得る風量の上限値）が２１０ｍ３／ｈであるファンを採用する。これにより、室内空間９２の温度を１〜３℃程度低減させることができる。なお、第２ファン３２は第１ファン２２よりも低い能力（風量）のファンであってよい。
【００３３】
ただし、実際の空調対象の室内空間９２の大きさ（容積）は個々の住宅により異なるため、第１ファン２２の最大風量は、空調対象の室内空間９２の容積に応じて定められていることが望ましい。具体的には、第１ファン２２の風量（とり得る風量の範囲）は、次の条件式により定められる。
【００３４】
風量（ｍ３／ｈ）≦ｋ×室容積（ｍ３）
【００３５】
すなわち、第１ファン２２の風量は、空調対象の室内空間９２の容積（室容積）に係数ｋを乗算した値以下である。なお、室容積は、空調対象の室内空間９２が複数ある場合には複数の室内空間９２の容積を足した値である。ここで、係数ｋは、床下空間８０と室内空間９２との温度差を考慮した必要採熱量を算出するための係数である。
【００３６】
上述のように、空調対象の室内空間９２の容積が２０畳分の約７９．４４ｍ３であるとした場合の第１ファン２２の必要風量が２１０ｍ３／ｈであることから、係数ｋは、２１０／７９．４４＝２．６４３５として計算できる。この計算結果から、係数ｋは２．７０として定められる。
【００３７】
なお、この場合の第１ファン２２の最大風量（風量の上限値）は、「ｋ（２．７０）×室容積（ｍ３）」となるが、第１ファン２２の選定においては、最大風量が次の条件式を満たすファンを採用してもよい。
【００３８】
ｌ×室容積（ｍ３）＜最大風量（ｍ３／ｈ）≦ｋ×室容積（ｍ３）
【００３９】
ただし、係数ｌは、上記計算結果（２１０／７９．４４＝２．６４３５）から、たとえば２．４０として定めることができる。このような能力を有するファンを採用することにより、床下空間８０と室内空間９２との温度差が比較的小さい場合であっても、床下空間８０の冷熱を利用して室内空間９２を効果的に冷却することができる。
【００４０】
上述のように、床下空間８０と室内空間９２との温度差Δｔの平均は、３．５〜５．０℃程度であるが、実際には温度差Δｔが１０℃以上になる時間帯もある。そのため、第１ファン２２の風量を、固定とせず、可変としてもよい。この場合の室内冷却装置１０の機能構成および風量制御方法について、以下に説明する。
【００４１】
（機能構成および風量制御方法について）
図３は、室内冷却装置１０の機能構成を示す機能ブロック図である。図３を参照して、室内冷却装置１０は、ファン２２，３２および熱交換部４０の運転を制御する制御部５１と、各種情報およびプログラムを記録する記憶部５２と、計時動作を行う計時部５３と、床下空間８０の温度を検知する床下温度センサ６１と、空調対象の室内空間９２の温度を検知する室内温度センサ６２とを備える。
【００４２】
制御部５１は、夏期にのみファン２２，３２および熱交換部４０の運転、すなわち熱交換システム１の運転を行う。制御部５１は、ユーザからの指示に応じて熱交換システム１の運転／停止を判断してもよいし、室内空間９２の温度と床下空間８０の温度との差に応じて熱交換システム１の運転／停止を判断してもよい。あるいは、制御部５１は、計時部５３により計測された月日に応じて熱交換システム１の運転／停止を判断してもよい。
【００４３】
図２に示されるように、床下温度センサ６１は、たとえば、床下循環経路３０のうちの熱交換部４０よりも上流側部分に配置される。室内温度センサ６２は、たとえば、室内循環経路２０のうちの熱交換部４０よりも上流側部分に配置される。
【００４４】
制御部５１は、その機能として風量制御部５４を含む。風量制御部５４は、床下空間８０の温度と室内空間９２の温度との差に応じて、第１ファン２２の風量を制御する。風量制御部５４の具体的な風量制御方法は、たとえば次の通りである。
【００４５】
風量制御部５４は、床下温度センサ６１および室内温度センサ６２からの信号に基づいて、床下空間８０と室内空間９２との温度差Δｔを検出する。風量制御部５４は、検出した温度差Δｔが、夏期平均の最大値である５．０℃以下か否かを判断する。
【００４６】
検出した温度差Δｔが５．０℃以下であれば、風量制御部５４は、風量が最大風量の２１０ｍ３／ｈとなるよう第１ファン２２の回転数を制御する。これに対し、検出した温度差Δｔが５．０℃を超えている場合、風量制御部５４は、風量が最大風量（２１０ｍ３／ｈ）よりも小さい風量となるよう第１ファン２２の回転数を制御する。
【００４７】
たとえば、風量制御部５４は、検出した温度差Δｔが５．０℃以下の場合に、第１ファン２２を強運転モードで駆動し、検出した温度差Δｔが５．０℃を超えている場合に、第１ファン２２を弱運転モードで駆動してもよい。
【００４８】
あるいは、風量制御部５４は、温度差Δｔが５．０℃を超えている場合には、温度差Δｔに応じて、第１ファン２２の風量Ｖを細かく調整してもよい。このような制御方法における、温度差Δｔと第１ファン２２の風量Ｖとの関係を図４のグラフに示す。
【００４９】
図４のグラフは、上記計算式により温度差Δｔが７．０℃、１０．０℃、１５．０℃、２０．０℃のときの風量Ｖの値をプロットし、これらのプロット値を線で繋いだグラフである。このグラフに基づくと、風量制御部５４は、温度差Δｔが１０℃のとき、風量Ｖが約８０ｍ３／ｈとなるよう第１ファン２２を制御し、温度差Δｔが１５℃のとき、風量Ｖが約６０ｍ３／ｈとなるよう第１ファン２２を制御する。
【００５０】
このように、温度差Δｔが比較的大きい場合に第１ファン２２の風量を小さく設定することで、第１ファン２２の消費電力を抑えることができる。
【００５１】
なお、風量制御部５４の動作は、記憶部５２に格納されたソフトウェアを実行することで実現されるものとするが、ハードウェアで実現されてもよい。
【００５２】
また、風量制御部５４は、温度差Δｔに応じて第２ファン３２の風量も同様に制御してもよい。
【００５３】
（変形例）
図５に示されるように、初夏の夜間（朝方）など、時間帯によっては、床下空間８０の空気の温度よりも外気の温度の方が低くなる場合がある。そのため、さらに室内空間９２の冷却効果を向上させるためには、熱交換システムが外気を取り入れ可能な機構を備えてもよい。
【００５４】
図６は、本実施の形態の変形例において床下空間８０に配置される配管構成を模式的に示す平面図であり、本変形例における熱交換システム１Ａの概略構成を示す。
【００５５】
床下循環経路３０の吹出しダクト３６は、熱交換部４０よりも下流側に位置し、熱交換後の床下空間８０の空気を床下空間８０に戻す下流経路３６ａを構成する。本変形例では、床下循環経路３０は、この下流経路３６ａから分岐し、熱交換後の空気を屋外に排気する排気経路３７ａと、熱交換後の空気の吐出先を切り替える切替部３８とを有している。
【００５６】
排気経路３７ａは、吹出しダクト３６から分岐する排気ダクト３７により形成される。排気ダクト３７は、たとえば、外周基礎８１と外壁９１との間の通気口８１ａに挿通される。切替部３８は、たとえば、各経路を開放および閉鎖するダンパにより構成される。あるいは、切替部３８は、下流経路３６ａと排気経路３７ａとの分岐点に配置される三方弁により構成されてもよい。
【００５７】
図７は、本変形例における室内冷却装置１０Ａの機能構成を示す機能ブロック図である。図７に示されるように、室内冷却装置１０Ａの制御部５１は、切替制御部５５を含む。なお、本変形例においても、図３に示した風量制御部５４が制御部５１に含まれてもよい。
【００５８】
切替制御部５５と切替部３８とは電気的に接続されており、切替制御部５５は、夜間の所定の時間帯のみ熱交換後の空気の吐出先が屋外となるように切替部３８の切り替え制御を行う。具体的には、切替制御部５５は、計時部５３からの信号に基づき現在時刻を判断し、夜間の所定の時間帯（たとえば午前０時〜６時）において、排気経路３７ａを開状態、下流経路３６ａを閉状態とするよう切替部３８を制御する。切替制御部５５は、昼間を含む、残りの時間帯（たとえば午前７時〜夜中の１時）において、排気経路３７ａを閉状態、下流経路３６ａを開状態とするよう切替部３８を制御する。
【００５９】
このように、切替制御部５５は、熱交換後の床下空間８０の空気の吐出先を選択的に切り替える。なお、切替制御部５５は、夏期のうち初夏（６月〜７月前半）および晩夏（９月後半〜１０月）にのみ作動してもよい。
【００６０】
床下循環経路３０を通る熱交換後の空気が排気経路３７ａを介して屋外に吐出される場合、床下空間８０は負圧となる。床下空間８０が負圧となることで、通気口８１ａを介して外気が床下空間８０に取り込まれる。初夏および晩夏の夜間は、床下空間８０の空気よりも外気の方が温度が低いため、外気を積極的に取り入れることで、床下空間８０の温度を下げることができる。これにより、吸気口３３から低温の空気が床下循環経路３０に取り入れられるため、室内空間９２を効率良く冷却することができる。
【００６１】
一方で、夏期の日中には、床下空間８０内に空気を循環させるだけであるため、相対的に温度の高い外気が必要以上に床下空間８０に取り込まれることを防止する。これにより、床下空間８０の温度上昇を防止することができるため、室内空間９２の冷却効果を維持することができる。
【００６２】
なお、図７に示した切替制御部５５の動作もまた、記憶部５２に格納されたソフトウェアを実行することで実現されるものとするが、ハードウェアで実現されてもよい。
【００６３】
本変形例では、切替制御部５５は、時間帯に応じて切替部３８の切り替え制御を行うこととしたが、このような例に限定されない。つまり、切替制御部５５が熱交換後の空気の吐出先を屋外に決定するための条件は、時間帯以外の条件であってもよい。たとえば、切替制御部５５は、床下空間８０の温度と屋外の温度とを比較することによって切替部３８の切り替え制御を行ってもよい。
【００６４】
この場合、図７に示されるように、切替制御部５５は、床下温度センサ６１により検知される床下空間８０の温度が外気温センサ６３により検知される外気温よりも高いか否かを判断し、その判断結果に応じて、切替部３８の切り替え制御を行う。具体的には、切替制御部５５は、床下空間８０の温度が外気温よりも高いと判断した場合に（のみ）、熱交換後の空気の吐出先が屋外となるように切替部３８を制御する。なお、外気温センサ６３は、たとえば外周基礎８１の外側面など屋外に配置されるため、室内冷却装置１０Ａの構成外であってもよい。この場合、外気温センサ６３からの検知信号を入力する入力部が室内冷却装置１０Ａに備えられればよい。
【００６５】
あるいは、本変形例では、熱交換後の空気の吐出先を屋外にすることで、床下空間８０を負圧にして外気を床下空間８０に取り込む構成としたが、熱交換対象の空気の吸気先を屋外にすることで、直接外気を熱交換部４０に送り込む構成としてもよい。
【００６６】
この場合、床下循環経路３０は、吸気ダクト３５により構成される上流経路に合流する外気吸込み経路（図示せず）を含む。この外気吸込み経路は、屋外の空気を吸気する屋外吸気口（図示せず）に一端が接続され、かつ、他端がこの上流経路に接続される経路である。外気吸込み経路は、吸気ダクト３５に接続される外気吸込み用ダクト（図示せず）により形成される。この場合、切替制御部５５は、上記変形例と同様の条件に基づいて、たとえば上流経路と外気吸込み経路との分岐点に配置される切替部（図示せず）の切り替え制御を行う。
【００６７】
なお、以上説明した実施の形態およびその変形例では、室内冷却装置１０（１０Ａ）が床下空間８０に配置されることとしたが、少なくとも、床下循環経路３０の吸気口３３と吹出し口３４とが床下空間８０に配置されていれば、１階の天井裏空間など他の空間に配置されてもよい。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１，１Ａ  熱交換システム、９  住宅、１０，１０Ａ  室内冷却装置、２０  室内循環経路、２１  第１空気通路、２２，３２  ファン、２３，３３  吸気口、２４，３４  吹出し口、２５，３５  吸気ダクト、２６，２６ａ，３６  吹出しダクト、３０  床下循環経路、３１  第２空気通路、３６ａ  下流経路、３７  排気ダクト、３７ａ  排気経路、３８  切替部、４０  熱交換部、５１  制御部、５２  記憶部、５３  計時部、５４  風量制御部、５５  切替制御部、６１  床下温度センサ、６２  室内温度センサ、６３  外気温センサ、８０  床下空間、８１  外周基礎、８１ａ  通気口、９１  外壁、９２，９３  室内空間。
【図１】
2018053614.tif 000003
【図２】
2018053614.tif 000004
【図３】
2018053614.tif 000005
【図４】
2018053614.tif 000006
【図５】
2018053614.tif 000007
【図６】
2018053614.tif 000008
【図７】
2018053614.tif 000009